(57)【要約】【課題】    携帯可能な加温温波発生装置【解決手段】    本発明の携帯可能な加温温波発生装置は、交流電源を直流変換器１にて直流電流にて供給する事により電磁波を抑止し、周波数調節器２にて最適な周波数に可変調整し、また温度調節器３を介して温度帯を選択可能なようにし、線状面状発熱体４を発熱させる事により、遠赤外線を有効に発生し加温する事ができる。また充電可能な電池１０と充電器１３を共用する事により常時携帯可能に成り、必要な時に必要な温波発生を可能にする事を特徴とする。また、着脱可能で充電可能な使い捨てない電池である事、充電可能な使い捨てない懐炉機能を持つ事を特徴とする、環境を配慮した携帯可能な加温装置である。【選択図】図１
2007283067.tif 000002
【特許請求の範囲】
【請求項１】
直流変換器により直流電流を供給することにより電磁波発生を防止し、周波数変換装置により適した周波数帯を得ることで、発熱体が人体に有効な遠赤外線温波を発生することを特徴とする加温装置。
【請求項２】
前記発熱体は［特許文献１］線状面状発熱体及び線状面状発熱体の製造及びそれらを特徴とする加熱装置―特願２００３−１３７９６４号から形成される加温装置。
【請求項３】
電池と電池からの通電により発熱する熱源を有する発熱回路と、２次電池を使用した充電用外部電源とを接続する正負の接続端子を有し、充電機能を備えていることを特徴とする携帯可能な加温装置。
【請求項４】
２次電池が着脱可能で充電可能な使い捨てない電池であること、請求項３にかかる充電可能な使い捨てない懐炉機能を持つ事を特徴とする環境を配慮した携帯可能な加温装置。
【発明の詳細な説明】
【技術分野】
【０００１】  本発明は発熱体から発生される遠赤外線放射熱と、一定温度を確保することが可能な携帯可能な加温温波発生装置に関する。
【背景技術】
【０００２】従来発熱体に通電することにより発熱体から発生される温度と、２次的なセラミック等による遠赤外線放射熱により、人体を加温治療する装置が一般的に使用されている。また携帯可能な加温材として使い捨て懐炉のような鉄粉を空気に触れさせ酸化反応を起こし酸化熱として加温する方法等が一般的に使用されている。
【発明の開示】
【発明が解決しようとする課題】
【０００３】しかし上述した従来の遠赤外線放射加温方式などは、一般的に交流電源を使用している為に、機器から発生される人体に有害とされている電磁波が生じている事は周知の事実である。そのため本発熱体からも人体に有害なレベルの電磁波が発生する問題がある。【０００４】この交流電源を変流制御し、直流電源に変換する事により電磁波の発生を防止する事が肝要であった。また従来使用されている熱源の特性からすると、比熱が大きいため発熱する時目標温度帯に持ち上げる時間が掛かるといった問題がある。【０００５】さらに、効率よく遠赤外線を発生させる為のセラミック等を使用する為にコストも嵩み、また、重量が掛かり移動設置に関して時間及び多大の労力を必要としコストも上昇してしまう為に一般的には扱い難いという問題も発生している。【０００６】また携帯可能な加温材として懐炉等が一般に普及している。しかし従来の物では、環境温度に関係なく発熱して行く為、火傷、特に低温火傷をする事がある。さらに使い捨てである為、酸化鉄粉、布、紙等、資源の無駄が多い。【０００７】本発明の目的は安全性が高く、上述した課題を解決すべく成された物であり、人体に無害で効率よく発熱、停止、再発熱の切り変えが容易に行なえる事。遠赤外線放射熱と一定温度を保つ機能を有する、環境を配慮した携帯可能な加温温波発生装置を提供する物である。
【課題を解決する為の手段】
【０００８】本発明による携帯可能な加温温波発生装置図１及び図２は直流変換器１と固定式による一定領域の周波数を信号により変換可能な周波数調節器２、また直流電源の出力温度調整可能な温度調節器３を介して線状面状を形成する発熱体回路にかかる一次側からの電流により線状面状発熱体４を発熱させる事により発生する遠赤外線を有効利用し、その周波数帯また温度帯を選択可能なように構成されている。また充電可能な電池１０と充電器１３を共用する事により電池１０から発生する電流を供給し線状面状発熱体回路を発熱させる事により人体に有効な遠赤外線温熱を発生させる。環境に配慮した使い捨てない常時携帯可能なように構成されている事を特徴とする。
【０００９】また外部電源から充電可能な電池１０は線状面状を形成する発熱体回路端子５ｃと５ｄの配線リレーから着脱てきる事が好ましい。そして充電器１３により充電可能な状態にする事が良い。
【００１０】上記目的を達成する為に本発明に係る発熱体回路は直流電源とバッテリーからの通電により発熱する発熱体回路４と温度が設定温度になるように発熱体回路の通電の開始、停止、を制御する温度調節器３と発熱体回路を開閉するスイッチ９からなり熱伝導率の高い表面材１８に係る、布、合成繊維、化学繊維、人工皮革、樹脂、等との組み合わせから形成される事が良い。
【００１１】また発熱体４は［特許文献１］−特願２００３−１３７９６４号から形成される、ポリエステルフィルム、ポリエチレンフィルム、の上面にニッケルインジウムに酸化化合物を添加した発熱塗料を塗布したト面にポリエステルフィルム、及びポリエチレンフィルムを積層被覆し両端に電極を圧着接合して構成されているのが好ましい。
【００１２】また発熱体回路の陽極側には温度調節器３が接続され、温度調節器３から連結するサーミスター７により温度を感知し、温度帯を選択可能にし、電源を入り切りできる事が良い。
【発明の効果】
【００１３】本発明は、交流電源を直流変換器１により、直流電流にて供給する事により電磁波を抑止し、また周波数調節器２により、最適な周波数に可変調整する事が可能な為、人体に無害な遠赤外線を有効に発生し加温する事ができる。またこの時発生する遠赤外線照射光熱により細胞の新陳代謝を活性促進する事となる。
【００１４】さらに遠赤外線光熱から発生される遠赤外線波長を活性伸長させ生体内の細胞水分子に共鳴振動起こす事により人体の血液、体液に温熱効果を相乗的に高める事が可能になり、種々の優れた効果を得る事ができる。
【発明を実施するための最良の形態】
【００１５】以下図１〜３を参照し本発明の実施形態について説明する。図１及び図２は本発明の実施形態に係る加温温波発生装置回路構成を示すブロック図である。図３（ａ）（ｂ）は携帯用加温温波発生装置の２次電池及び２次電池を充電する充電器を示す斜視図である。図４は携帯可能な加温温波発生装置を示す斜視図である。【００１６】図１に示すように本発明の実施形態、加温温波発生装置は直流変換器１と一定領域の周波数信号により変換可能な周波数調節器２と直流変換器１から出力された直流電流が温度調節器３を介して線状面状発熱体４に接続されている配線リレー５ｃ、５ｄに接続される。このとき温度調節器３から連結されているサーミスター７により温度を感知できるように構成されている。【００１７】図２に示すように本発明の特徴である携帯可能な構成を成すために、図１の配線リレー５ｃ、５ｄ、サーミスター７、温度ヒューズ８を外し、図２の配線リレー３５ｃ、３５ｄに充電用外部電池１０側の端子１１ａ，１１ｂに導線６を接続し、電池１０から発熱体４に電流を供給する形態にも構成可能であり、電池１０から失われたエネルギーは充電器１３の１４ａ、１４ｂに接続して充電可能なように構成されている。電池１０の電源スイッチ１２を入れる事により、出力される電圧は６Ｖ電流として３０００ｍＡが好ましい。その時発生する熱量が大きい場合には、電源スイッチ１２を操作する事により調節が可能である。【００１８】直流変換器１は線状面状発熱体４に対して１２Ｖ以下の使用電圧を用い、７Ａ以下の電流を安全に供給するべくヒューズ１９が接続されており周波数調節器２の陽極側に接続する事が良い。【００１９】線状面状発熱体４は加温するべき面積に対して回路設計が自由にできる様、あらかじめ基本の抵抗から発熱温度を選択できるようにする事が可能であるため、一定のサイズを求める事は必要とせず大きさ温度を選択できる。【００２０】図４に示す様にこの線状面状発熱体４は線状面状に一定間隔に形成された発熱体にポリエステル及びポリエチレンフィルムによりラミネートされその上下両側を熱伝導率の高い表面材１８の天然素材、布、合成繊維、化学繊維、人工皮革、等により納める。このときの素材の厚みは特に図示しないが３０ｍｍ以下に構成されている事が好ましい。【００２１】なお本発明の実施形態の場合発生する遠赤外線は、無機物に対して吸収される事はない。しかしながら、我々人体には吸収され、体内内部に深達し内部組織を分子レベルで活性化させる。この深達力は発生する波長の平方根に比例し温度特性により瞬時に目標温度帯まで達する事が可能なため、深達力をより円滑にする事が可能である。この時の深達力は、波長が４倍に長くなると２倍に、９倍になると３倍になるように調節が可能である。
【発明を実施するための最良の形態】
【００２２】以下に本発明の実施形態例を挙げ添付図面参照して本発明の実施の形態を具体的、かつ、より詳細に説明する。【００２３】図１は本発明の回路構成を示す図である。直流変換器１の電源を入れ、５ａのリレーから分岐した電流が周波数調節器２と温度調節器３に直流電流を通過させ、５ｂのリレーから発熱体回路を開閉するスイッチ９を入りにする事により、発熱体４に通電発熱させる。【００２４】周波数調節器２のボリュームを操作し周波数を一定に調節設定する事により、変動する信号波が出力され遠赤外線温波が発生し、人体の体内組織を分子レベルで活性化させることにより、体内における酸化が中和され新陳代謝が促進され、様々な症状を抑制する事が可能である。【００２５】温度調節器３は、線状面状発熱体回路を開閉するスイッチ９を入りにし、サーミスター７は線状面状発熱体回路に直接接触させ発熱体回路の温度を感知し、温度調節器内のサーモスタットにより回路を開閉する。例えば４０℃以上になると発熱体回路４を遮断する。尚サーモスタットが故障し動作不能になり設定温度である４０℃を超え７０℃に上昇した場合、ヒューズ１９が働き電源を遮断する。【００２６】携帯する場合には、線状面状発熱体回路の５ｃ、５ｄのリレーを外し、電池１０の端子部１１ａ、１１ｂに接続し、電源スイッチ１２を作動させる事により発熱体回路に通電され発熱し、遠赤外線温波を発生する事が可能となる。この時の電池は６Ｖが好ましく温度調節は１２の電源スイッチにより電源電圧を調節する。【００２７】線状面状発熱体回路４を携帯機能させるための電池１０を充電するには、１１ａ、１１ｂの電池端子部を充電器１３の端子接合部１４ａ、１４ｂに接続し、１次側電源コード１５より外部電源から供給充電される。また、外部電源電位により発光ダイオード１６が通電され発光する。【００２８】上記した実施の形態により効率よく人体に無害かつ環境を配慮した、熱伝導率の高い素材と組み合わせる事により、安定した状況の中で電位伝達の変化を起こさず、電磁波の発生のない直流電流により、線状面状発熱体４から遠赤外線加温温波を発生照射する事により体内の酸化を防止し新陳代謝を促進する事ができる。【００２９】また上記した発熱体の形状や配置に関しては、上記に限定される物ではなく、各種変更が可能であり、更に線状面状発熱体４は上記以外の物に組み込む事も可能である。
【図面の簡単な説明】
【００３０】
【図１】本発明の実施の形態に係る加温温波発生装置の回路構成を示すブロック図である。
【図２】本発明の実施の形態に係る携帯用加温温波装置の回路構成を示すブロック図である。
【図３】（ａ）および（ｂ）は本発明の実施の形態に係る携帯用加温温波発生装置の２次電池及び２次電池を充電する充電器を示す斜視図である。
【図４】本発明の実施の形態に係る携帯可能な加温温波装置を示す斜視図である。
【符号の説明】
【００３１】１    直流変換器
２    周波数調節器
３    温度調節器
４  ３４  線状面状発熱体
５ａ  ５ｂ    配線リレー
５ｃ  ５ｄ  ３５ｃ  ３５ｄ    配線リレー
６    導線
７    サーミスター
８    温度ヒューズ
９    スイッチ
１０  電池
１１ａ  １１ｂ  電池端子
１２  電源スイッチ
１３  充電器
１４ａ  １４ｂ  充電端子接合部
１５  １次側電源コード
１６  発光ダイオード
１７  コネクター端子
１８  表面材
１９  ヒューズ
【図１】
2007283067.tif 000003
【図２】
2007283067.tif 000004
【図３】
2007283067.tif 000005
【図４】
2007283067.tif 000006